(57)【要約】      （修正有）【課題】音響用アンプを提供する。【解決手段】ベース２１、パネル２２、バックパネル２３、及びカバー２４が一体で装設される本体２と、ベース２１内に装設され、複数の電子素子を有する回路基板と、パネル２２に設置されると共にこれら電子素子に電気的に接続され、音響パワー及び音量の調整に用いられる複数のつまみ４と、電源伝送線を介してこれら電子素子とスピーカーとの間に接続される複数の電源接続部材とを備える。ベース２１及びカバー２４は第一組立ユニットにより一体に組み立てられ、且つ外観からは組立部材には見えない。パネル２２及びバックパネル２３は第二組立ユニットによりパネル２２及びバックパネル２３とベース２１及びカバー２４とが一体に組み立てられ、且つ少なくともパネル２２の一側からは組立部材には見えない。こうして、構造の装設が簡単で便利になり、且つ装設後及び将来のメンテナンスにおいても音響用アンプの正面からの見た目が壊されることがなくなる。【選択図】図３
0003216433.tif 000002
【実用新案登録請求の範囲】
【請求項１】
ベース、パネル、バックパネル、及びカバーが一体で装設される本体と、
前記ベース内に装設され、複数の電子素子を有する回路基板と、
前記パネルに設置されると共にこれら前記電子素子に電気的に接続されて音響パワー及び音量の調整に用いられる複数のつまみと、
電源伝送線を介してこれら前記電子素子とスピーカーとの間に接続される複数の電源接続部材とを備える音響用アンプであって、
装設機構により前記ベース、前記パネル、前記バックパネル、及び前記カバーが一体で装設され、前記装設機構は第一組立ユニット及び第二組立ユニットを含み、前記第一組立ユニットは前記ベースと前記カバーとの間に設置され、前記ベース及び前記カバーを一体に組み立てるために使用され、且つ外観からは組立部材に見えず、前記第二組立ユニットは前記パネルと前記バックパネルとの間に設置され、前記パネル及び前記バックパネルと前記ベース及び前記カバーとを一体に組み立てるために使用され、且つ少なくとも前記パネルの一側からは前記組立部材には見えないことを特徴とする音響用アンプ。
【請求項２】
前記ベースはＵ字型を呈し、前記パネル及び前記バックパネルは前記Ｕ字型ベースの両側に対して装設され、前記カバーにより前記Ｕ字型ベースの両側の開口端が被覆されることを特徴とする請求項１に記載の音響用アンプ。
【請求項３】
前記第一組立ユニットはフランジ及び前記フランジに一体となるように嵌合される嵌め込み溝を備え、前記フランジは前記Ｕ字型ベースの両側の上部に設置され、前記嵌め込み溝は前記フランジの前記カバーの両側に対して設置されることを特徴とする請求項１に記載の音響用アンプ。
【請求項４】
前記第二組立ユニットは第一固定台と、第二固定台と、ボルトとを備え、前記第一固定台は前記パネルの背面の四隅に設置され、前記第二固定台は前記第一固定台の前記バックパネルの一側に対して設置され、前記ボルトは前記バックパネルの一側から前記第二固定台により前記第一固定台に螺合されることを特徴とする請求項１に記載の音響用アンプ。
【請求項５】
前記Ｕ字型ベースの両側には固定スロットが対応させるように設置され、前記固定スロットにより前記回路基板が収容されて定位されることを特徴とする請求項２に記載の音響用アンプ。
【請求項６】
前記バックパネルには複数の孔部が設けられ、前記複数の孔部によりこれら前記電源接続部材が固定されるように装設されることを特徴とする請求項１に記載の音響用アンプ。
【請求項７】
前記Ｕ字型ベースの両側の底部にはリップ部がそれぞれ延設され、前記リップ部には定位させるように装設させるための基準となる組立孔が設けられることを特徴とする請求項２に記載の音響用アンプ。
【考案の詳細な説明】
【技術分野】
【０００１】
本考案は、アンプに関し、より詳しくは、音響用アンプに関する。
【背景技術】
【０００２】
よく知られているように、音響用アンプの機能は主にソースの信号を増幅させ、スピーカーに伝送させてソースの表現を増幅させ、音質及び音量を適度に出力させることである。また、再生される音楽に好ましい音響効果を付与する。  
【０００３】
従来の音響用アンプの構造の多くはベース、パネル、バックパネル、及びカバーが一体で装設される本体と、前記ベース内に装設され、複数の電子素子を有する回路基板と、前記パネルに設置されると共に音響パワー及び音量の調整に用いられる複数のつまみと、電源伝送線を介してこれら前記電子素子とスピーカーとの間に接続される複数の電源接続部材とを備える。
【考案の概要】
【考案が解決しようとする課題】
【０００４】
しかしながら、前述した従来のアンプでは、すなわち、従来の音響用アンプのパネルは正面からボルトにより固定される（図１参照）、パネル６の正面の四隅にはボルトヘッド６１が露出される。前記４つのボルトヘッド６１はパネル６全体の美観に視覚的な影響を与えるばかりか、メンテナンスを行う場合は前記４つのボルトヘッド６１を着脱させねばならず、これによって前記４つのボルトヘッド６１が毀損したり、美観に影響を与えたりした。このため、本来備わっている装飾効果も損なわれた。  
【０００５】
そこで、本考案者は上記の欠点が改善可能と考え、鋭意検討を重ねた結果、合理的設計で上記の課題を効果的に改善する本考案の提案に到った。  
【０００６】
本考案はこうした状況に鑑みてなされたものであり、その目的は、音響用アンプを提供することにある。つまり、構造の装設が手軽になり、且つ装設後及び将来のメンテナンスにおいても音響用アンプの正面からの美観が壊れず、実用的で美観を兼ね備える効果を達成させる。
【課題を解決するための手段】
【０００７】
上述した課題を解決し、目的を達成するために、本考案のある態様の音響用アンプは、ベース、パネル、バックパネル、及びカバーが一体で装設される本体と、前記ベース内に装設され、複数の電子素子を有する回路基板と、前記パネルに設置されると共にこれら前記電子素子に電気的に接続され、音響パワー及び音量の調整に用いられる複数のつまみと、電源伝送線によりこれら前記電子素子とスピーカーとの間に接続される複数の電源接続部材とを備える。装設機構により前記ベース、前記パネル、前記バックパネル、及び前記カバーが一体で装設され、前記装設機構は第一組立ユニット及び第二組立ユニットを含み、前記第一組立ユニットは前記ベースと前記カバーとの間に設置され、前記ベース及び前記カバーを一体に組み立てるために使用され、且つ外観からは組立部材に見えない。前記第二組立ユニットは前記パネルと前記バックパネルとの間に設置され、前記パネル及び前記バックパネルと前記ベース及び前記カバーとを一体に組み立てるために使用され、且つ少なくとも前記パネルの一側からは前記組立部材には見えないことを特徴とする。  
【０００８】
また、本考案の音響用アンプでは、前記ベースはＵ字型を呈し、前記パネル及び前記バックパネルは前記Ｕ字型ベースの両側に対して装設され、前記カバーにより前記Ｕ字型ベースの両側の開口端が被覆される。  
【０００９】
また、本考案の音響用アンプでは、前記第一組立ユニットはフランジ及び前記フランジに一体となるように嵌合される嵌め込み溝を備える。前記フランジは前記Ｕ字型ベースの両側の上部に設置され、前記嵌め込み溝は前記フランジのカバーの両側に対して設置される。  
【００１０】
また、本考案の音響用アンプでは、前記第二組立ユニットは第一固定台と、第二固定台と、ボルトとを備える。前記第一固定台は前記パネルの背面に設置される。第二固定台は前記第一固定台の前記バックパネルの一側に対して設置される。前記ボルトは前記バックパネルの一側から前記第二固定台により前記第一固定台に螺合される。
【図面の簡単な説明】
【００１１】
【図１】従来の音響用アンプを示す正面図である。
【図２Ａ】本考案の第１実施形態に係る音響用アンプを説明する傾斜の分解図である。
【図２Ｂ】本考案の第２実施形態に係る音響用アンプを説明する平面の分解図である。
【図３】図２Ａ示す一実施形態を示す傾斜の組立図である。
【図４】図３示す一実施形態を示す正面図である。
【図５】本考案の第２実施形態に係る音響用アンプを説明する傾斜の分解図である。
【図６】図５示す一実施形態を示す傾斜の組立図である。
【図７】図６示す一実施形態を示す正面図である。
【考案を実施するための形態】
【００１２】
以下、図面を参照しつつ、本考案に係る音響用アンプについて具体的に説明する。なお、本考案は、以下に説明する実施形態に限定されるものではない。
[第１実施形態]  
【００１３】
図２Ａは本考案の第１実施形態に係る音響用アンプ１を説明する傾斜の分解図である。本考案の音響用アンプ１は、本体２と、回路基板３と、複数のつまみ４と、複数の電源接続部材５とを備える。前記本体２はベース２１、パネル２２、バックパネル２３、及びカバー２４が一体で装設される。前記ベース２１はＵ字型を呈し、前記パネル２２及び前記バックパネル２３は前記Ｕ字型ベース２１の両側２１１に対して装設され、前記カバー２４により前記Ｕ字型ベース２１の両側２１１の開口端が被覆される。前記Ｕ字型ベース２１の両側２１１には固定スロット２１２が対応させるように設置され、前記固定スロット２１２により前記回路基板３が定位するように収容される。また、前記Ｕ字型ベース２１と前記カバー２４との間には第一組立ユニット２５が設置され、且つ、前記第一組立ユニット２５はフランジ２５１及び前記フランジ２５１に一体になるように嵌合される嵌め込み溝２５２を更に含む。前記フランジ２５１は前記Ｕ字型ベース２１の両側２１１の上部に設置され、前記嵌め込み溝２５２は前記フランジ２５１の前記カバー２４の両側に対して設置される。前記フランジ２５１及び嵌め込み溝２５２により前記ベース２１及び前記カバー２４が組み立てられて一体となり、組立後は嵌合方式であるため外観からは組立部材には見えなくなる。  
【００１４】
また、図２Ｂを参照し、前記パネル２２と前記バックパネル２３との間には第二組立ユニット２６が設置され、且つ、前記第二組立ユニット２６は第一固定台２６１と、第二固定台２６２と、ボルト２６３とを更に備える。前記第一固定台２６１は前記パネル２２の背面の四隅に設置される。前記第二固定台２６２は前記第一固定台２６１の前記バックパネル２３の一側に対して設置される。前記ボルト２６３は前記バックパネル２２の一側から前記第二固定台２６２により前記第一固定台２６１に螺合される。前記パネル２２及び前記バックパネル２３と前記ベース２１及び前記カバー２４とが組み立てられて一体となると、装設後に前記パネル２２の一側から見ても組立部材には見えなくなる。また、前記バックパネル２３には複数の孔部２３１が設けられ、前記複数の孔部２３１によりこれら前記電源接続部材５が固定されるように装設される。  
【００１５】
前記回路基板３は前記ベース２１内に装設され、且つ複数の電子素子（図示せず）が設置される。前記複数のつまみ４は前記パネル２２に設置されると共にこれら前記電子素子に電気的に接続され、音響パワー及び音量の調整に用いられる。前記複数の電源接続部材５は電源伝送線を介してこれら前記電子素子とスピーカーとの間に接続される。  
【００１６】
上述の構造により、本考案は組立後に図３及び図４に示すように、前記パネル２２の一側から見ても前記パネル２２と前記ベース２１及びカバー２４とが組み立てられて一体となった組立部材には見えない。よって、前記パネル２２からは前記つまみ４のみが見え、視覚的に簡潔な美観となる。
[第２実施形態]  
【００１７】
さらに、図５は本考案の第２実施形態に係る音響用アンプ１'を説明する傾斜の分解図である。図６は図５示す一実施形態を示す傾斜の組立図である。図７は図６示す一実施形態を示す正面図である。本実施形態の音響用アンプ１'は同様にベース２１'、パネル２２'、バックパネル２３'、及びカバー２４'が一体で装設される本体２'と、回路基板３と'、複数のつまみ４'と、複数の電源接続部材５'とを備える。本実施形態と第１実施形態との差異は、前記Ｕ字型ベース２１'にある他の構造は第１実施形態と同じであり、前記Ｕ字型ベース２１'の両側２１１'の底部にはリップ部２１３'がそれぞれ延設され、前記リップ部２１３'には定位させるように装設させるための基準となる組立孔２１４'が設けられる。これにより、ある特定の位置に定位するように装設され、装設されて固定された後にも前記パネル２２'の一側から見ても同様に前記パネル２２'と前記ベース２１'及び前記カバー２４'とが組み立てられて一体となった組み立て部材には見えない。よって、前記パネル２２'が視覚的に簡潔な美観となる。  
【００１８】
以上、本考案の実施形態について図面を参照して詳述したが、具体的な構成はこの実施形態に限られるものではなく、本考案の要旨を逸脱しない範囲の設計変更等も含まれる。
【符号の説明】
【００１９】
１  音響用アンプ
１'  音響用アンプ
２  本体
２'  本体
３  回路基板
３'  回路基板
４  複数のつまみ
４'  複数のつまみ
５  電源接続部材
５'  電源接続部材
２１  ベース
２１'  ベース
２２  パネル
２２'  パネル
２３  バックパネル
２３'  バックパネル
２４  カバー
２４'  カバー
２１１  ベースの両側
２１１'  ベースの両側
２１２  固定スロット
２３１  複数の孔部
２５  第一組立ユニット
２５１  フランジ
２５２  嵌め込み溝
２６  第二組立ユニット
２６１  第一固定台
２６２  第二固定台
２６３  ボルト
２１３'  リップ部
２１４'  組立孔
【図１】
0003216433.tif 000003
【図２Ａ】
0003216433.tif 000004
【図２Ｂ】
0003216433.tif 000005
【図３】
0003216433.tif 000006
【図４】
0003216433.tif 000007
【図５】
0003216433.tif 000008
【図６】
0003216433.tif 000009
【図７】
0003216433.tif 000010